(57)【要約】  所定の検出ゾーン内でモバイル・デバイスの機能を禁止するための方法、システム、および装置を開示する。方法は、モバイル・デバイスが所定の送信フィールド内に位置するときに第１の通信信号をモバイル・デバイスによって受信すること、第１の通信信号が複数のビーコンのうちの第１のビーコンによって送信されたと判定すること、および、第１の通信信号が第１のビーコンによって送信されたと判定したときモバイル・デバイスの少なくとも１つの機能を禁止すること、を含む。【選択図】図１
2018518856.tif 000002
【特許請求の範囲】
【請求項１】
所定の検出ゾーン内でモバイル・デバイスの機能を禁止する方法であって、
所定の送信フィールド内に位置するモバイル・デバイスによって第１の通信信号を受信すること、
前記第１の通信信号が複数のビーコンのうちの第１のビーコンによって送信されたと判定すること、および、
前記第１の通信信号が前記第１のビーコンによって送信されたと判定したとき前記モバイル・デバイスの少なくとも１つの機能を禁止すること、
を含む方法。
【請求項２】
前記所定の送信フィールドが第１の所定の送信フィールドであり、
第２の所定の送信フィールド内に位置するモバイル・デバイスによって第２の通信信号を受信すること、
前記第２の通信信号が、前記所定の検出ゾーン内に位置する前記複数のビーコンのうちの第２のビーコンによって送信されたと判定すること、および、
前記第２の通信信号が前記第２のビーコンによって送信されたと判定したとき前記モバイル・デバイスの前記少なくとも１つの機能を禁止すること、
をさらに含む、請求項１に記載の方法。
【請求項３】
第３の所定の送信フィールド内に位置するモバイル・デバイスによって第３の通信信号を受信すること、
前記第３の通信信号が、前記所定の検出ゾーン内に位置する前記複数のビーコンのうちの第３のビーコンによって送信されたと判定すること、および、
前記第３の通信信号が前記第３のビーコンによって送信されたと判定したとき前記モバイル・デバイスの少なくとも１つの機能を禁止すること、
をさらに含む、請求項２に記載の方法。
【請求項４】
第４の所定の送信フィールド内に位置するモバイル・デバイスによって第４の通信信号を受信すること、
前記第４の通信信号が前記第１のビーコンによって送信されたと判定すること、
第５の所定の送信フィールド内に位置するモバイル・デバイスによって第５の通信信号を受信すること、
前記第１の通信信号が前記第２のビーコンによって送信されたと判定すること、
第６の所定の送信フィールド内に位置するモバイル・デバイスによって第６の通信信号を受信すること、
前記第６の通信信号が前記第３のビーコンによって送信されたと判定すること、
前記第４の所定の送信フィールドと前記第５の所定の送信フィールドと前記第６の所定の送信フィールドとの交差によって画定される場所に前記モバイル・デバイスがあると判定すること、および、
前記第４の所定の送信フィールドと前記第５の所定の送信フィールドと前記第６の所定の送信フィールドとの前記交差によって画定される前記場所に前記モバイル・デバイスがあると判定したとき、前記モバイル・デバイスの前記少なくとも１つの機能を禁止すること、
をさらに含む、請求項３に記載の方法。
【請求項５】
前記モバイル・デバイスの前記少なくとも１つの機能が、テキスト・メッセージング・サービス機能または表示画面機能である、請求項１に記載の方法。
【請求項６】
前記第１の所定の送信フィールドが前記第２の所定の送信フィールドと重なる、請求項２に記載の方法。
【請求項７】
前記第２の所定の送信フィールドが前記第３の所定の送信フィールドと重なる、請求項３に記載の方法。
【請求項８】
第３の所定の送信フィールド内に位置するモバイル・デバイスによって第３の通信信号を受信すること、
前記第３の通信信号が第３のビーコンによって送信されたと判定すること、
前記所定の検出ゾーン内に位置する前記モバイル・デバイスによって第４の通信信号を受信すること、
前記第４の通信信号が第４のビーコンによって送信されたと判定すること、
前記所定の検出ゾーン内に位置する前記モバイル・デバイスによって第５の通信信号を受信すること、
前記第５の通信信号が第５のビーコンによって送信されたと判定すること、
前記第３の通信信号、前記第４の通信信号、および前記第５の通信信号が前記モバイル・デバイスによって同時に受信されたと判定すること、ならびに、
前記第３の通信信号、前記第４の通信信号、および前記第５の通信信号が前記モバイル・デバイスによって所定の時間期間内に受信されたと判定したとき、前記モバイル・デバイスの前記少なくとも１つの機能を禁止すること、
をさらに含む、請求項２に記載の方法。
【請求項９】
前記所定の検出ゾーン内に位置する前記モバイル・デバイスが前記第１の通信信号を受信することが、前記所定の検出ゾーン内に位置する前記モバイル・デバイスが前記第１の通信信号を連続的に受信することを含み、前記方法がさらに、前記モバイル・デバイスが前記第１の通信信号をもはや受信しなくなってから所定の時間期間後に前記モバイル・デバイスの前記少なくとも１つの機能を許可することを含む、請求項１に記載の方法。
【請求項１０】
前記第１の所定の送信フィールドが、前記第１のビーコンのパラメータに従って調整可能である、請求項１に記載の方法。
【請求項１１】
所定の検出ゾーン内でモバイル・デバイスの機能を禁止するためのシステムであって、
第１のビーコンと第２のビーコンとを含む複数のビーコンを備え、
前記第１のビーコンが、前記第１のビーコンの第１の所定の送信フィールド内に位置するモバイル・デバイスに、前記第１の所定の送信フィールド内で第１の通信信号を送信し、前記第１のビーコンによって送信された前記第１の通信信号に基づいて前記モバイル・デバイスに前記モバイル・デバイスの少なくとも１つの機能を禁止させるように構成され、
前記第２のビーコンが、前記第２のビーコンの第２の所定の送信フィールド内に位置する前記モバイル・デバイスに、前記第２の所定の送信フィールド内で第２の通信信号を送信し、前記第２のビーコンによって送信された前記第２の通信信号に基づいて前記モバイル・デバイスに前記モバイル・デバイスの少なくとも１つの機能を禁止させるように構成された、システム。
【請求項１２】
前記複数のビーコンのそれぞれが歩道に永久的に取り付けられた、請求項１１に記載のシステム。
【請求項１３】
前記第１の所定の送信フィールドが前記第１のビーコンの第１のパラメータに従って調整可能であり、前記第２の所定の送信フィールドが前記第２のビーコンの第２のパラメータに従って調整可能である、請求項１１に記載のシステム。
【請求項１４】
前記複数のビーコンが第３のビーコンを含み、
前記第３のビーコンが、前記第３のビーコンの第３の所定の送信フィールド内に位置するモバイル・デバイスに、前記第３の所定の送信フィールド内で第３の通信信号を送信するように構成され、前記第３のビーコンによって送信された前記第３の通信信号に基づいて前記モバイル・デバイスに前記モバイル・デバイスの少なくとも１つの機能を禁止させるように構成された、請求項１１に記載のシステム。
【請求項１５】
前記第１のビーコンが第４の所定の送信フィールド内で第４の通信信号を送信するように構成され、
前記第２のビーコンが第５の所定の送信フィールド内で第５の通信信号を送信するように構成され、
前記第３のビーコンが第６の所定の送信フィールド内で第６の通信信号を送信するように構成され、
前記第１のビーコン、前記第２のビーコン、および前記第３のビーコンが、前記第４の所定の送信フィールドと前記第５の所定の送信フィールドと前記第６の所定の送信フィールドとの交差によって画定される場所に前記モバイル・デバイスがあるとの判定に基づいて、前記モバイル・デバイスに前記モバイル・デバイスの少なくとも１つの機能を禁止させるように構成された、請求項１４に記載のシステム。
【請求項１６】
所定の検出ゾーン内でモバイル・デバイスの機能を禁止するための通信装置であって、
モバイル・デバイスと、
前記モバイル・デバイスに関連する制御モジュールとを備え、
前記制御モジュールが、複数のビーコンのうちの第１のビーコンの第１の所定の送信フィールド内に位置するモバイル・デバイスから前記第１のビーコンによって送信された第１の通信信号を受信するように構成され、
前記制御モジュールが、前記第１のビーコンによって送信された前記第１の通信信号に基づいて前記モバイル・デバイスの少なくとも１つの機能を禁止するように構成された、通信装置。
【請求項１７】
前記制御モジュールが、前記モバイル・デバイスのテキスト・メッセージング・サービス機能または表示画面機能を禁止するように構成された、請求項１６に記載の装置。
【請求項１８】
前記制御モジュールが、前記複数のビーコンのうちの第２のビーコンの第２の所定の送信フィールド内に位置するモバイル・デバイスに向けて前記第２のビーコンによって送信された第２の通信信号を受信するように構成され、
前記制御モジュールが、前記第２のビーコンによって送信された前記第２の通信信号に基づいて前記モバイル・デバイスの少なくとも１つの機能を禁止するように構成され、
前記制御モジュールが、第３のビーコンの第３の所定の送信ゾーン内に位置するモバイル・デバイスから前記第３のビーコンによって送信された第３の通信信号を受信するように構成され、
前記制御モジュールが、前記第３のビーコンによって送信された前記第３の通信信号に基づいて前記モバイル・デバイスの少なくとも１つの機能を禁止するように構成された、
請求項１７に記載の装置。
【請求項１９】
前記制御モジュールが、前記第１のビーコンの第４の所定の送信ゾーン内に位置するモバイル・デバイスに向けて前記第１のビーコンによって送信された第４の通信信号を受信するように構成され、
前記制御モジュールが、前記第２のビーコンの第５の所定の送信ゾーン内に位置するモバイル・デバイスに向けて前記第２のビーコンによって送信された第５の通信信号を受信するように構成され、
前記制御モジュールが、前記第３のビーコンの第６の所定の送信ゾーン内に位置するモバイル・デバイスに向けて前記第３のビーコンによって送信された第６の通信信号を受信するように構成され、
前記制御モジュールが、前記第４の所定の送信フィールドと前記第５の所定の送信フィールドと前記第６の所定の送信フィールドとの交差によって画定される場所に前記モバイル・デバイスがあるとの判定に基づいて、前記モバイル・デバイスの前記少なくとも１つの機能を禁止するように構成された、請求項１８に記載の装置。
【請求項２０】
所定の検出ゾーン内でモバイル・デバイスの機能を禁止する方法であって、
第１の所定の送信フィールド内に位置するモバイル・デバイスによって第１の通信信号を受信すること、
第２の所定の送信フィールド内に位置するモバイル・デバイスによって第２の通信信号を受信すること、
第３の所定の送信フィールド内に位置するモバイル・デバイスによって第３の通信信号を受信すること、および、
前記第１の所定の送信フィールドと前記第２の所定の送信フィールドと前記第３の所定の送信フィールドとの交差によって画定される場所に前記モバイル・デバイスがあるとの判定に基づいて、前記モバイル・デバイスの前記少なくとも１つの機能を禁止すること、
を含む方法。
【請求項２１】
前記モバイル・デバイスの前記少なくとも１つの機能が、テキスト・メッセージング・サービス機能または表示画面機能である、請求項２０に記載の方法。
【請求項２２】
前記第１の通信信号が複数のビーコンのうちの第１のビーコンによって送信されたと判定すること、
前記第２の通信信号が前記複数のビーコンのうちの第２のビーコンによって送信されたと判定すること、および、
前記第３の通信信号が前記複数のビーコンのうちの第３のビーコンによって送信されたと判定すること、
をさらに含む、請求項２１に記載の方法。
【発明の詳細な説明】
【技術分野】
【０００１】
（優先権の記載）
本出願は、２０１５年４月２日に出願された「ＡＰＰＡＲＡＴＵＳ，ＳＹＳＴＥＭ，ＡＮＤ  ＭＥＴＨＯＤ  ＦＯＲ  ＩＮＨＩＢＩＴＩＮＧ  ＯＰＥＲＡＴＩＯＮ  ＯＦ  ＭＯＢＩＬＥ  ＤＥＶＩＣＥＳ  ＷＩＴＨＩＮ  Ａ  ＺＯＮＥ」という名称の米国仮特許出願第６２／１４２，１５８号の利益を主張するものであり、この米国仮特許出願の開示は、その全体があらゆる目的において参照により本明細書に組み込まれる。
【背景技術】
【０００２】
現代社会では、例えばセルラー電話機、スマートフォン、ラップトップ・コンピュータ、ノートブック・コンピュータ、タブレット・デバイス（例えば、Ａｐｐｌｅ（登録商標）によるｉＰａｄ（登録商標））を含む、ワイヤレス・デバイスなどのモバイル・デバイスが遍在する。しかし、人が動いている間にこのようなモバイル・デバイスを使用することは、危険であり得る。横断歩道の付近や横断歩道の中など、このようなデバイスを使用する歩行者が自動車、自転車、または他の歩行者と交わるエリアでは、問題は悪化する。歩行者がモバイル・デバイスの使用に気を取られている場合の事故または負傷の率は、上昇しつつある。より具体的には、歩行者が動いている間にテキスト・メッセージ通信をすることは、危険であり得、負傷を引き起こすことと結び付いてきた。
【０００３】
モバイル・デバイスが広く採用され、これらのデバイスが普及したことは、特に車両と接する機会を伴うエリアで歩行するときに、このようなデバイスのユーザが注意散漫になることに関する懸念をもたらした。携帯電話機で通話またはテキスト・メッセージ通信をするユーザは、このユーザが歩いている場所から精神的に注意を逸らされることがあり、自分が歩いているエリアにおける危険の可能性に気付かないことがある。周囲に注意を払うのではなく、モバイル・デバイスで通話またはテキスト・メッセージ通信をしていた個人が事故に巻き込まれるのを見るのは、珍しいことではない。最近のデータは、歩きながら携帯電話機で通話する個人の方が、車を運転しながらモバイル・デバイスを使用する個人よりも、事故のリスクが高い場合があることさえ示唆している。
【発明の概要】
【発明が解決しようとする課題】
【０００４】
したがって、ワイヤレス・デバイスなどのモバイル・デバイスが横断歩道などの特定ゾーン内に存在することを検出し、モバイル・デバイスの動作を制御または無効化することが、非常に望ましいであろう。
【課題を解決するための手段】
【０００５】
一態様では、所定の検出ゾーン内でモバイル・デバイスの機能を禁止する方法を、本明細書で開示する。この方法は、モバイル・デバイスが所定の送信フィールド内に位置するときに第１の通信信号をモバイル・デバイスによって受信すること、第１の通信信号が複数のビーコンのうちの第１のビーコンによって送信されたと判定すること、および、第１の通信信号が第１のビーコンによって送信されたと判定したときモバイル・デバイスの少なくとも１つの機能を禁止すること、を含む。
【０００６】
別の態様では、所定の検出ゾーン内でモバイル・デバイスの機能を禁止するためのシステムを、本明細書で開示する。このシステムは、第１のビーコンと第２のビーコンとを含む複数のビーコンを備える。さらに、第１のビーコンは、モバイル・デバイスが第１のビーコンの第１の所定の送信フィールド内に位置するときに第１の所定の送信フィールド内で第１の通信信号をモバイル・デバイスに送信し、第１のビーコンによって送信された第１の通信信号を受信したときモバイル・デバイスにモバイル・デバイスの少なくとも１つの機能を禁止させるように構成される。加えて、第２のビーコンは、モバイル・デバイスが第２のビーコンの第２の所定の送信フィールド内に位置するときに第２の所定の送信フィールド内で第２の通信信号をモバイル・デバイスに送信し、第２のビーコンによって送信された第２の通信信号を受信したときモバイル・デバイスにモバイル・デバイスの少なくとも１つの機能を禁止させるように構成される。
【０００７】
さらに別の態様では、所定の検出ゾーン内でモバイル・デバイスの機能を禁止するための通信装置を、本明細書で開示する。この通信装置は、モバイル・デバイスと、モバイル・デバイスに関連する制御モジュールとを備える。さらに、制御モジュールは、モバイル・デバイスが複数のビーコンのうちの第１のビーコンの第１の所定の送信フィールド内に位置するときに、第１のビーコンによって送信された第１の通信信号を受信するように構成され、制御モジュールは、第１のビーコンによって送信された第１の通信信号を受信したとき、モバイル・デバイスの少なくとも１つの機能を禁止するように構成される。
【０００８】
さらに別の態様では、所定の検出ゾーン内でモバイル・デバイスの機能を禁止する方法を、本明細書で開示する。この方法は、モバイル・デバイスが第１の所定の送信フィールド内に位置するのに伴い第１の通信信号をモバイル・デバイスによって受信すること、モバイル・デバイスが第２の所定の送信フィールド内に位置するのに伴い第２の通信信号をモバイル・デバイスによって受信すること、モバイル・デバイスが第３の所定の送信フィールド内に位置するのに伴い第３の通信信号をモバイル・デバイスによって受信すること、および、第１の所定の送信フィールドと第２の所定の送信フィールドと第３の所定の送信フィールドとの交差によって画定される場所にモバイル・デバイスがあると判定したとき、モバイル・デバイスの少なくとも１つの機能を禁止すること、を含む。
【図面の簡単な説明】
【０００９】
【図１】本開示による、所定の検出ゾーン内に位置するモバイル・デバイスの存在を判定するためのシステムの一実施形態を示す図である。
【図２】本開示による、所定の検出ゾーン内に位置するモバイル・デバイスの存在を判定するためのシステムの別の実施形態を示す図である。
【図３】本開示による、所定の検出ゾーン内に位置するモバイル・デバイスの存在を判定するためのシステムの別の実施形態を示す図である。
【図４】本開示による、所定の検出ゾーン内に位置するモバイル・デバイスの存在を判定するためのシステムと共に使用されることになるモバイル・デバイスの一実施形態を示す図である。
【図５ａ】本開示による、所定の検出ゾーン内に位置するモバイル・デバイスの存在を判定するためのモバイル・アプリケーションによって提示されるインタフェースを示す図である。
【図５ｂ】本開示による、所定の検出ゾーン内に位置するモバイル・デバイスの存在を判定するためのモバイル・アプリケーションによって提示されるインタフェースを示す図である。
【図６ａ】本開示による、所定の検出ゾーン内に位置するモバイル・デバイスの存在を判定するためのモバイル・アプリケーションによって提示されるインタフェースを示す図である。
【図６ｂ】本開示による、所定の検出ゾーン内に位置するモバイル・デバイスの存在を判定するためのモバイル・アプリケーションによって提示されるインタフェースを示す図である。
【図７ａ】本開示による、所定の検出ゾーン内に位置するモバイル・デバイスの存在を判定するためのモバイル・アプリケーションによって提示される表示画面を示す図である。
【図７ｂ】本開示による、所定の検出ゾーン内に位置するモバイル・デバイスの存在を判定するためのモバイル・アプリケーションによって提示される表示画面を示す図である。
【図７ｃ】本開示による、所定の検出ゾーン内に位置するモバイル・デバイスの存在を判定するためのモバイル・アプリケーションによって提示される表示画面を示す図である。
【図８ａ】本開示によるモバイル・アプリケーションがモバイル・デバイスの機能を禁止したときにモバイル・アプリケーションによって提示される表示画面を示す図である。
【図８ｂ】本開示によるモバイル・アプリケーションがモバイル・デバイスの機能を禁止したときにモバイル・アプリケーションによって提示される表示画面を示す図である。
【発明を実施するための形態】
【００１０】
本開示では、所定の検出ゾーン内に位置するモバイル・デバイスの存在を判定するための装置、システム、および方法の実施形態について記述する。一実施形態では、本開示は、所定の検出ゾーン内に位置するモバイル・デバイスの存在を判定し、モバイル・デバイスが所定の検出ゾーン内で検出されたときにモバイル・デバイスの機能のいくつかまたはすべてを無効化するための、装置、システム、および方法の実施形態を対象とする。より詳細には、本開示は、横断歩道などの歩道にいる人が、歩道に位置しながらモバイル・デバイスを用いてテキスト・メッセージ通信および他の類似する過度に危険な行動を行うのを自動的に防止することを対象とする。
【００１１】
本開示は、記述された特定の態様または実施形態に限定されず、態様または実施形態は変更されてもよいことを理解されたい。また、車両内にモバイル・デバイスが存在することを検出し、モバイル・デバイスが検出されたときにモバイル・デバイスの動作を制御するための装置、システム、および方法の範囲は、添付の特許請求の範囲のみによって定義されるので、本明細書で使用される用語は、特定の態様または実施形態を記述するためのものに過ぎず、限定することを意図するものではないことも理解されたい。
【００１２】
図１に関して示すように、所定の検出ゾーン内に位置するモバイル・デバイスの存在を判定するためのシステム１００が開示される。システム１００は複数のビーコン１０１を備える。各ビーコン１０１は、所定の送信フィールド１０３を有する。ビーコン１０１は、道路または通りにおける横断歩道など、歩道１０７に埋め込まれているか、またはそうでない場合は永久的に取り付けられているものとすることができる。ビーコン１０１は、信号を送信するように構成されてよく、この信号は、ユーザ１０５によって携帯されるモバイル・デバイスによって受信される。信号を受信すると、モバイル・デバイスは、信号が複数のビーコン１０１のうちの１つのビーコン１０１によって送信されたと判定し、信号がビーコン１０１によって送信されたと判定したときモバイル・デバイスの少なくとも１つの機能を禁止するように構成される。
【００１３】
ユーザ１０５のモバイル・デバイスの場所に応じて、モバイル・デバイスは、２つ以上のビーコン１０１から信号を受信することがある。同様に、モバイル・デバイスは、第２の信号が複数のビーコン１０１のうちの別のビーコン１０１によって送信されたと判定し、第２の信号が第２のビーコン１０１によって送信されたと判定したときモバイル・デバイスの少なくとも１つの機能を禁止するように構成されてよい。加えて、モバイル・デバイスは、追加のビーコン１０１から追加の信号を受信し、相応に機能を禁止するように構成されてよい。加えて、モバイル・デバイスは、所定の送信フィールド１０３を通って別の所定の送信フィールド１０３に移動するにつれて、異なる複数のビーコン１０１から第１の信号を受信するように構成されてよく、モバイル・デバイスは、相応に機能を禁止するように構成されてよい。
【００１４】
ビーコン１０１の配置により、歩道１０７など、所定の検出ゾーンを画定することができる。したがって、複数のビーコン１０１それぞれの所定の送信フィールド１０３は、歩道１０７の全体が、少なくとも１つのビーコン１０１の少なくとも１つの所定の送信フィールド１０３によってカバーされるように、構成されてよい。したがって、ユーザ１０５が歩道１０７を渡って移動し、歩道１０７の境界（ビーコン１０１の所定の送信フィールド１０３によって画定され得る）内にいるとき、ユーザ１０５によって携帯されているモバイル・デバイスの少なくとも１つの機能が中断されることになる。一実施形態では、モバイル・デバイスは、所定の検出ゾーン内に位置するときは、ビーコン１０１から信号を連続的に受信することができ、ビーコン１０１から信号をもはや受信しなくなった後は、モバイル・デバイスの少なくとも１つの機能はもはや禁止されないものとすることができる。一実施形態では、モバイル・デバイスの少なくとも１つの機能は、所定の時間期間に続いて、もはや禁止されないものとすることができる。
【００１５】
図２に示す別の実施形態では、所定の検出ゾーン内に位置するモバイル・デバイス２０５の存在を判定するためのシステム２００を開示する。システム２００は複数のビーコン２０１を備え、各ビーコン２０１は、第１の所定の送信フィールド２０３および第２の所定の送信フィールド２０９を有する。ビーコン２０１は、道路または通りにおける横断歩道など、歩道２０７に埋め込まれているものとすることができる。ビーコン２０１は、第１の信号を送信するように構成されてよく、第１の信号は、ユーザによって携帯されるモバイル・デバイス２０５がビーコン２０１の第１の所定の送信フィールド２０３内にあるときに、モバイル・デバイス２０５によって受信される。信号を受信すると、モバイル・デバイス２０５は、信号が複数のビーコン２０１のうちの１つのビーコン２０１によって送信されたと判定し、信号がビーコン２０１によって送信されたと判定したときモバイル・デバイス２０５の少なくとも１つの機能を禁止するように構成されてよい。一実施形態では、ビーコン２０１によって送信される第１の信号は、ビーコン１０１によって送信される信号と同じかまたは類似するものであってよい。
【００１６】
ユーザのモバイル・デバイス２０５の場所に応じて、モバイル・デバイス２０５は、第１の所定の送信フィールド２０３が別の第１の所定の送信フィールド２０３と重なる場合には、２つ以上のビーコン２０１から第１の信号を受信することがある。加えて、モバイル・デバイス２０５は、第１の所定の送信フィールド２０３を通って別の第１の所定の送信フィールド２０３に移動するにつれて、異なる複数のビーコン２０１から第１の信号を受信するように構成されてよく、モバイル・デバイス２０５は、相応に機能を禁止するように構成されてよい。
【００１７】
加えて、ビーコン２０１は、第２の信号を送信するように構成されてよく、第２の信号は、モバイル・デバイス２０５がビーコン２０１の第２の所定の送信フィールド２０９内にあるときに、モバイル・デバイス２０５によって受信される。したがって、モバイル・デバイス２０５は、複数のビーコン２０１から第２の信号を受信したとき、第２の信号が複数のビーコン２０１によって送信されたと判定し、信号が複数のビーコン２０１によって送信されたと判定したときモバイル・デバイス２０５の少なくとも１つの機能を禁止するように構成されてよい。
【００１８】
図２に示す実施形態では、モバイル・デバイス２０５は、少なくとも３つのビーコン２０１から第２の信号を受信するように構成され、モバイル・デバイス２０５がゾーン２１１内に位置すると判定したとき、モバイル・デバイス２０５は、モバイル・デバイス２０５の少なくとも１つの機能を禁止するように構成されてよい。ゾーン２１１は、第２の所定の送信フィールド２０９のうちの少なくとも３つが交差する場所に画定されるようなサイズおよび構成であってよい。一実施形態では、モバイル・デバイス２０５は、三角測量に基づいて、モバイル・デバイス２０５の場所がゾーン２１１内であると判定するように構成されてよい。
【００１９】
図３に示す別の実施形態では、所定の検出ゾーン内に位置するモバイル・デバイス３０５の存在を判定するためのシステム３００を開示する。システム３００は、第１の複数のビーコン３０１と、第２の複数のビーコン３１３とを備える。第１の複数のビーコン３０１のそれぞれは、第１の所定の送信フィールド３０３および第２の所定の送信フィールド３０９を有する。第２の複数のビーコン３１３のそれぞれは、所定の送信フィールド３１５を有する。
【００２０】
ビーコン３０１および３１３は、道路または通りにおける横断歩道など、歩道３０７に埋め込まれているものとすることができる。ビーコン３０１は、第１の信号を送信するように構成されてよく、第１の信号は、ユーザによって携帯されるモバイル・デバイス３０５がビーコン３０１の第１の所定の送信フィールド３０３内にあるときに、モバイル・デバイス３０５によって受信される。信号を受信すると、モバイル・デバイス３０５は、信号が複数のビーコン３０１のうちの１つのビーコン３０１によって送信されたと判定し、信号がビーコン３０１によって送信されたと判定したときモバイル・デバイス３０５の少なくとも１つの機能を禁止するように構成されてよい。一実施形態では、ビーコン３０１によって送信される第１の信号は、ビーコン２０１、１０１によって送信される信号と同じかまたは類似するものであってよい。
【００２１】
加えて、ビーコン３０１は、第２の信号を送信するように構成されてよく、第２の信号は、モバイル・デバイス３０５がビーコン３０１の第２の所定の送信フィールド３０９内にあるときに、モバイル・デバイス３０５によって受信される。したがって、モバイル・デバイス３０５は、複数のビーコン３０１から第２の信号を受信したとき、第２の信号が複数のビーコン３０１によって送信されたと判定し、信号が複数のビーコン３０１によって送信されたと判定したときモバイル・デバイス３０５の少なくとも１つの機能を禁止するように構成されてよい。
【００２２】
図３に示す実施形態では、モバイル・デバイス３０５は、少なくとも３つのビーコン３０１から第２の信号を受信するように構成され、モバイル・デバイス３０５がゾーン３１１内に位置すると判定したとき、モバイル・デバイス３０５は、モバイル・デバイス３０５の少なくとも１つの機能を禁止するように構成されてよい。ゾーン３１１は、第２の所定の送信フィールド３０９のうちの少なくとも３つが交差する場所に画定されるようなサイズおよび構成であってよい。一実施形態では、モバイル・デバイス３０５は、三角測量に基づいて、モバイル・デバイス３０５の場所がゾーン３１１内であると判定するように構成されてよい。
【００２３】
加えて、ビーコン３１３は、信号を送信するように構成されてよく、この信号は、モバイル・デバイス３０５がビーコン３１３の所定の送信フィールド３１５内にあるときに、モバイル・デバイス３０５によって受信される。信号を受信すると、モバイル・デバイス３０５は、信号が複数のビーコン３１３のうちの１つのビーコン３１３によって送信されたと判定し、信号がビーコン３１３によって送信されたと判定したときモバイル・デバイス３０５の少なくとも１つの機能を禁止するように構成されてよい。一実施形態では、ビーコン３１３によって送信される信号は、ビーコン３０１、２０１、または１０１によって送信される信号と同じかまたは類似するものであってよい。
【００２４】
ユーザのモバイル・デバイス３０５の場所に応じて、モバイル・デバイス３０５は、所定の送信フィールド３０３、３１５が別の第１の所定の送信フィールド３０３、３１５と重なる場合には、２つ以上のビーコン３０１、３１３から信号を受信することがある。加えて、モバイル・デバイス３０５は、所定の送信フィールド３０３、３１５を通って別の所定の送信フィールド３０３、３１５に移動するにつれて、異なる複数のビーコン３０１、３１３から信号を受信するように構成されてよく、モバイル・デバイス３０５は、相応に機能を禁止するように構成されてよい。
【００２５】
本明細書に記載のように、ビーコンによって送信される信号は、各ビーコンによって送信される同じ信号である場合もあり、または、いくつかの態様では、各ビーコンによって送信される信号は異なる場合もある。例えば、各ビーコンは、その特定のビーコンの場所情報を含む一意のビーコン識別子など、特定のビーコンについての識別子を有する信号を送信することができる。したがって、モバイル・デバイスは、ビーコンの場所情報を使用してモバイル・デバイスの場所を判定するように構成されてよい。加えて、各ビーコンの所定の送信フィールドは、調整可能とすることができる。例えば、第１の所定の送信フィールドは、ビーコンの第１のパラメータに従って調整可能であってよく、第２の所定の送信フィールドは、ビーコンの第２のパラメータに従って調整可能であってよい。
【００２６】
一実施形態では、本明細書で言及する各ビーコンは、Ａｐｐｌｅ  ｉＢｅａｃｏｎ（登録商標）である。ｉＢｅａｃｏｎは、Ａｐｐｌｅ  Ｉｎｃ．製の屋内近接システムである。Ａｐｐｌｅは、そのｉＢｅａｃｏｎデバイスを「近くのモバイル・デバイスに存在を知らせることができる、新しい種類の低電力・低コスト送信機」と呼んでいる。ｉＢｅａｃｏｎにより、スマートフォンまたは他のデバイスは、ｉＢｅａｃｏｎに近接しているときにアクションを実施することができる。あるアプリケーションは、スマートフォンがその位置またはコンテキストを判定するのを助けるように設計されている。別の実施形態では、各ビーコンは、全地球測位システム（ＧＰＳ）と共に使用されることが可能である。したがって、本明細書に記載の、モバイル・デバイスとビーコンとの間のどんな伝送も、ＧＰＳ情報、例えばＧＰＳ座標などであってよく、またはそのようなＧＰＳ情報を含むことができる。したがって、ＧＰＳシステムを使用するデバイス間で、場所情報が、単独でまたは他の形の場所情報と共に伝送されてよい。追加の実施形態では、ビーコンは、ＧＰＳシステム中で識別されるロケーションで置き換えられてよく、またはそのようなロケーションに加えて使用されてよい。したがって、開示するすべてのビーコン機能は、ＧＰＳシステム中で識別されるロケーションを使用して実装されることが可能である。
【００２７】
図１に関しては、複数のビーコン１０１が複数のＧＰＳロケーションで置き換えられてよく、各ＧＰＳロケーションは、所定の送信フィールド１０３と同様の、画定された所定範囲を有する。したがって、ＧＰＳシステムは信号を送り、この信号は、ユーザ１０５が所定範囲内にいるときに、ユーザ１０５によって携帯されるモバイル・デバイスによって受信される。さらに、この範囲は、ＧＰＳロケーションから所定距離に調整されることが可能である。この信号を受信すると、モバイル・デバイスは、信号がＧＰＳシステムによって送信されたと判定し、信号がＧＰＳシステムによって送信されたと判定したときモバイル・デバイスの少なくとも１つの機能を禁止するように構成されてよい。
【００２８】
ユーザ１０５のモバイル・デバイスの場所に応じて、ＧＰＳシステムから複数の信号を受信することがあるが、これは、モバイル・デバイスが２つ以上のＧＰＳロケーションの所定範囲内にあることを示す。前述の実施形態と同様、モバイル・デバイスは、第２の信号がＧＰＳシステムによって送信されたと判定し、第２の信号がＧＰＳシステムによって送信されたと判定したときモバイル・デバイスの少なくとも１つの機能を禁止するように構成されてよい。加えて、モバイル・デバイスは、ＧＰＳシステムから追加の信号を受信し、相応に機能を禁止するように構成されてよい。加えて、モバイル・デバイスは、あるＧＰＳロケーションの所定範囲を通って別のＧＰＳロケーションの別の所定範囲に移動するにつれて、ＧＰＳシステムから信号を受信するように構成されてよく、モバイル・デバイスは、相応に機能を禁止するように構成されてよい。
【００２９】
ＧＰＳロケーションの配置は、歩道など、所定の検出ゾーンを画定することができ、各ＧＰＳロケーションの所定範囲は、歩道の全体が、少なくとも１つのＧＰＳロケーションの所定範囲によってカバーされるように、構成されてよい。したがって、ユーザが歩道を渡って移動し、歩道の境界（複数のＧＰＳロケーションの所定範囲によって画定され得る）内にいるとき、ユーザによって携帯されているモバイル・デバイスの少なくとも１つの機能が中断されることになる。一実施形態では、モバイル・デバイスは、所定の検出ゾーン内に位置するときは、ＧＰＳシステムから信号を連続的に受信することができ、ＧＰＳシステムから信号をもはや受信しなくなった後は、モバイル・デバイスの少なくとも１つの機能はもはや禁止されないものとすることができる。一実施形態では、モバイル・デバイスの少なくとも１つの機能は、モバイル・デバイスがもはやＧＰＳシステムから信号を受信しなくなった後、所定の時間期間に続いて、もはや禁止されないものとすることができる。図２および図３に関して述べたビーコンの機能についても、モバイル・デバイスおよびＧＰＳロケーションの同様の動作が実装されることが可能である。
【００３０】
一例では、ｉＢｅａｃｏｎの助けにより、スマートフォンのソフトウェアが、店舗内におけるそれ自体の場所を概算することができる。加えて、ｉＢｅａｃｏｎは、販売されている近くの商品の通知を電話機が提示することを助けることができる。また、販売時点での支払いを可能にすることができ、顧客は、支払いをするために自分の財布またはカードを取り出す必要はない。一例では、ｉＢｅａｃｏｎ技術は、ＢＬＥ（Ｂｌｕｅｔｏｏｔｈ（登録商標）  Ｌｏｗ  Ｅｎｅｒｇｙ）技術（Ｂｌｕｅｔｏｏｔｈ  Ｓｍａｒｔ（登録商標）としても知られる）を使用する。ｉＢｅａｃｏｎは、ＢＬＥ近接感知を使用して大域的に一意の識別子を送信することができ、この識別子は、互換性のあるアプリまたはオペレーティング・システムによって拾い上げられる。次いで、識別子はインターネットを通して検索されて、デバイスの物理的場所を判定したり、または、ソーシャル・メディア上でのチェックインやプッシュ通知など、デバイス上でのアクションをトリガしたりすることができる。様々なベンダが、多様なフォームファクタで提供されるハードウェアｉＢｅａｃｏｎを作成してきており、これらは、小型コインセル・デバイス、ＵＳＢスティック、および汎用Ｂｌｕｅｔｏｏｔｈ  ４.０対応ＵＳＢドングルを含む。
【００３１】
ｉＢｅａｃｏｎデバイスは、以下のモバイル・デバイスとの互換性を有する。
・  Ａｎｄｒｏｉｄ（登録商標）４．３またはそれ以降（例えば、Ｓａｍｓｕｎｇ  Ｇａｌａｘｙ  Ｓ３／Ｓ４／Ｓ４Ｍｉｎｉ、Ｓａｍｓｕｎｇ  Ｇａｌａｘｙ  Ｎｏｔｅ２／３、ＨＴＣ  Ｏｎｅ、Ｇｏｏｇｌｅ／ＬＧ  Ｎｅｘｕｓ７  ２０１３バージョン／Ｎｅｘｕｓ４／Ｎｅｘｕｓ５、ＨＴＣ  Ｂｕｔｔｅｒｆｌｙ）
・  Ｂｌｕｅｔｏｏｔｈ４．０およびｉＯＳ７を有するｉＯＳデバイスまたはそれ以降：
−  ｉＰｈｏｎｅ（登録商標）  ４ｓまたはそれ以降
−  ｉＰａｄ（第３世代）またはそれ以降
−  ｉＰａｄ  ｍｉｎｉまたはそれ以降
−  ｉＰｏｄ（登録商標）  ｔｏｕｃｈ（第５世代）またはそれ以降
・  Ｌｕｍｉａ（登録商標）  Ｃｙａｎアップデートを有するＷｉｎｄｏｗｓ（登録商標）  Ｐｈｏｎｅデバイスまたはそれ以降
【００３２】
一実施形態では、モバイル・デバイスが所定の検出ゾーン内に位置すると判定したとき、モバイル・デバイスは、動作不可能にされるか、または機能制限された状態のみで動作可能にされるかのいずれかであってよい。したがって、モバイル・デバイスに関連する制御モジュールが、モバイル・デバイス上で電話を受信または送信する能力を完全にブロックするか、または、モバイル・デバイス使用を望ましくないものにするようにモバイル・デバイスの機能を十分に妨害するか、のいずれかが可能であってよい。幾つかの実施形態では、制御モジュールは、モバイル・デバイスのいくつかのコンポーネントまたは機能の動作を無効化することができる。例えば、モバイル・デバイスのテキスト・メッセージング機能または電子メール機能をユーザが使用できないようにするために、モバイル・デバイスのキーボード部分を無効化することができる。別の実施形態では、制御モジュールは、モバイル・デバイスの動作をハンズフリー動作に切り替えることができる。
【００３３】
別の実施形態では、送出通信機能は禁止されてよいが、入来通信機能は禁止されなくてよい。別の実施形態では、モバイル・デバイスの機能が禁止される期間中、自動返信が開始されてよい。別の例では、緊急電話またはメッセージなど、いくつかの電話またはメッセージは発信が許可されてよいが、一方で他の送出される電話またはメッセージは禁止される。一実施形態では、モバイル・デバイスが所定の検出ゾーンに入る前に進行中であったかまたは開始された電話は許可されてよいが、新しい電話は禁止されてよい。加えて、モバイル・デバイスの禁止されるべき少なくとも１つの機能は、テキスト・メッセージング・サービス機能または表示画面機能であってよい。加えて、モバイル・デバイスの、検出され得る他の任意の機能が、選択的に許可または無効化されてもよい。
【００３４】
本明細書に記載の実施形態では、所定の検出ゾーンは、車両など、歩道内または歩道付近の３次元ゾーンとして画定することができる。しかし、所定の検出ゾーンは、歩道内または歩道付近にある必要はなく、適宜、任意の所定ゾーンであってよい。例えば、所定の検出ゾーンは、建物内の部屋の中のエリアであってもよい。
【００３５】
図１〜図３に関して記述したシステムに従って使用できるモバイル・デバイスの一実施形態４００が、図４に示される。モバイル・デバイス４０３は、モバイル・デバイス４０３に関連する回路４０１を備える。回路４０１は、モバイル・デバイス４０３の場所を判定するように構成されたプロセッサを備えることができる。一実施形態では、回路４０１は、信号をモバイル・デバイス４０３から複数のビーコンに送信させるように構成されてよく、この信号は、複数のビーコンによって受信された後、ビーコンに関する情報を含む信号を複数のビーコンから送信させる。一実施形態では、複数のビーコンによって送信される信号は、ビーコンの一意識別子や類似の識別情報など、特定のビーコンに関する情報と共に、モバイル・デバイス４０３によって送信された信号に関連する情報、またはモバイル・デバイス４０３によって送信された信号の一部を含むことがある。信号は、モバイル・デバイス４０３のアンテナ４１１を介して受信されてよい。アンテナ４１１は、モバイル・デバイス４０３の１次通信方式のコンポーネントである場合もあり、または、Ｂｌｕｅｔｏｏｔｈなど、モバイル・デバイスの２次通信方式のコンポーネントである場合もある。適切な信号が受信されると、モバイル・デバイスの動作が１つまたは複数の方法で制御されるものとすることができる。
【００３６】
加えて、回路４０１は、モバイル・デバイス４０３の場所を判定し、モバイル・デバイス４０３の場所が所定の検出ゾーンに合致するかどうかを判定するように構成されてよい。図８の実施形態に示すように、回路４０１は、モバイル・デバイス４０３内に位置する場合もあり、または、回路４０１とモバイル・デバイス４０３との間で制御信号および／またはコマンド信号を交換できるように、モバイル・デバイス４０３に通信可能に結合される場合もある。
【００３７】
さらに、幾つかの実施形態では、回路４０１は、モバイル・デバイス４０３に関連する制御モジュールを構成することができ、この場合、制御モジュール４０１は、実行可能命令を記憶する非一時的なメモリに結合され、制御モジュール４０１は、メモリに記憶された命令を実行するように動作可能である。制御モジュール４０１は、信号がモバイル・デバイス４０３から複数のビーコンに送信されるようにすること、モバイル・デバイス４０３の場所が所定の検出ゾーンに合致するかどうかを判定すること、および、モバイル・デバイスが所定の検出ゾーン内にあると判定したときモバイル・デバイス４０３の少なくとも１つの機能を禁止すること、を行うための命令を実行するように動作可能とすることができる。一実施形態では、制御モジュール４０１は、モバイル・デバイス内に位置する場合がある。別の実施形態では、制御モジュール４０１は、ワイヤレス通信ネットワークなどの通信ネットワークを介してモバイル・デバイスと通信する場合がある。
【００３８】
幾つかの実施形態では、本開示のシステムおよび方法は、ハードウェア、ソフトウェア、またはこれらの組合せであるコンポーネントを含むことができる。一実施形態では、ソフトウェアは、スマートフォンやタブレットなどのモバイル・デバイスにインストールできるアプリケーションである場合がある。ある実施形態では、モバイル・アプリケーションが、Ａｎｄｒｏｉｄデバイス、ｉＰｈｏｎｅ、および様々なウェアラブル・デバイスなど、モバイル・デバイス上で稼働するように構成されてよい。
【００３９】
特定のモバイル・デバイスの製造業者についてのビーコンおよびモバイル・アプリケーションを使用して、実証的な構成が開発された。ある事例では、Ｅｓｔｉｍｏｔｅビーコンと、Ａｎｄｒｏｉｄモバイル・アプリケーションおよびｉＰｈｏｎｅモバイル・アプリケーションとを使用して、構成が構築された。別の事例では、Ｏｎｙｘ  Ｂｅａｃｏｎｓによって供給されるビーコンと、ｉＰｈｏｎｅモバイル・アプリケーションとを使用して、構成が構築された。Ｏｎｙｘ  Ｂｅａｃｏｎｓによって供給されるビーコンは、約２３０フィート（約７０ｍ）までの送信範囲を有することができる。Ｅｓｔｉｍｏｔｅによって供給されるビーコンは、約４インチ（約０．１ｍ）から約２００フィート（約６１ｍ）まで変動し得る送信範囲を有することができる。
【００４０】
受動的方法による実装形態によれば、単純かつ確実であるように、局在化の方法が使用された。ビーコンは、横断歩道の舗装に埋め込まれた。この構成では、これらのビーコンは、「地面ビーコン」と呼ばれた。各地面ビーコンは、既知の送信半径を有する円形エリア（所定の送信フィールドとも呼ばれる）を有するように構成された。地面ビーコンは、横断歩道の最大カバー範囲を得るように一様に分散された。必要とされるビーコンの数は、横断歩道の表面に依存し得る。あらゆるビーコンは、既知の送信半径を有する短い円形エリアを有していた。ビーコンは、その距離をスマートフォンに送るように構成され、スマートフォンは、ビーコンまでの距離が事前設定済みの半径よりも短いかどうかを判定するように構成され、短い場合は、ユーザが横断歩道にいると判定された。地面ビーコンの半径は、「短距離」パラメータを変更することによって修正可能であった。この実証的な構成では、６つのビーコン、すなわち、６．５フィート（２メートル）離れて設定された３つのビーコンをそれぞれ有する２つの列が使用され、一貫した結果が受け取られた。
【００４１】
能動的方法による実装形態によれば、横断歩道の四隅に４つのビーコンが配置された。これらのビーコンは、「ポール・ビーコン」と呼ばれた。各ポール・ビーコンは、上記の受動的方法で使用された地面ビーコンと同様、既知の送信半径を有する円形エリア（所定の送信フィールドとも呼ばれる）を有するように構成されたが、ポール・ビーコンは、より大きい第２の円形送信エリアも有していた。アプリケーションは、以下の２つの場合のいずれかで、ユーザが横断歩道上にいると判定するように構成された。
−  スマートフォンが、４つの小さい円形エリアのうちのいずれかの内側にあるとき。または、
−  スマートフォンが、３つのより大きい円形エリアのうちのいずれかの交差によって形成されるエリアの内側にあるとき。
【００４２】
より大きい円形エリアの半径は、ビーコンの「長距離」パラメータを修正することによって設定可能であった。いくつかの事例では、能動的方法は、使用されたビーコンの内在的な不正確さのせいで、受動的な方法よりも信頼性の低い結果を生じた。第３の方法は、最初の２つの方法の態様を組み合わせたものである。２つまたはそれ以上の地面ビーコンによって補完された４つのポール・ビーコンが使用された。この方法の利点は、より少ない地面ビーコンを使用すること、および正確な結果を提供することである。
【００４３】
本開示によるモバイル・アプリケーションの一実施形態が、図５ａ〜図８ｂに示されている。したがって、図５ａに示すように、総合アプリケーションの起動後にユーザ・インタフェース５００が表示されてよく、ユーザ・インタフェース５００は、モバイル・アプリケーションがＢｌｕｅｔｏｏｔｈモジュールをアクティブ化できるようにするためのプロンプト５０１を、ユーザに提供する。非限定的な例として、表示は、テキスト「アプリケーションがＢｌｕｅｔｏｏｔｈをオンにするよう求めています」を有するテキスト・ボックスを含むことができる。表示はまた、インジケータ「拒否する」を有する（ユーザがアプリの実行を防止できるようにするための）タッチ・アクティブ化ボタンと、インジケータ「許可する」を有する（ユーザがアプリの実行を許可できるようにするための）タッチ・アクティブ化ボタンとを含むこともできる。図５ｂに示すように、Ｂｌｕｅｔｏｏｔｈモジュールをアクティブ化する入力をユーザが提供した後、総合アプリケーション、例えば「ＮｏＣｏｍｍ  運転者」や「ＮｏＣｏｍｍ」アプリケーションなどのためのユーザ・インタフェース５０２がユーザに対して提示されてよい。ユーザ・インタフェースは、アプリケーションの名前のグラフィカル表現、例えば「ｎｏＣｏｍｍ」を含むことができる。「ＮｏＣｏｍｍ  運転者」アプリケーションの「ＮｏＣｏｍｍ  横断歩道」機能など、このモバイル・アプリケーションにアクセスするには、ユーザは、適切な入力を提供することが必要とされる。非限定的な例として、インタフェースは、「横断歩道」などのテキスト・インジケータを有するタッチ・アクティブ化ボタン５０３をユーザに対して提示することができる。インタフェース５０２に示すように、入力は、ユーザが「横断歩道」ボタン５０３に触れることによって受け取られるものとすることができる。
【００４４】
モバイル・アプリケーションにアクセスすると、図６ａのインタフェース６００に示すように、モバイル・アプリケーションは、最初にビーコンを探索することができ、また、いずれかのビーコンが前にモバイル・アプリケーションに登録済みかどうかをチェックすることもできる。アプリケーションがビーコンを探索する間、インタフェースは、テキスト「スキャンしています。お待ちください・・・」を含むテキスト・ボックスなど、インジケータを表示することができる。どのビーコンも前に登録済みでない場合は、モバイル・アプリケーションは、登録モードに入るように構成されてよい。登録モードは、「登録されているビーコンはありません・・・」などのテキスト・インジケータを提供するインタフェース６０２（図６ｂ参照）を表示することができる。
【００４５】
登録モードでは、モバイル・アプリケーションは、横断歩道モバイル・アプリケーションによって検出される複数のビーコンを表示する。ユーザは、ポール・ビーコンと見なされることになるビーコンを選ぶことができる。これは、特定エリア内の他のビーコンを非アクティブ化することによって達成することができる。一実施形態では、ビーコンは、リモートで非アクディブ化する、あるいは、ビーコンの電池を取り外すことによって、またはビーコンの信号を遮るコンテナ、例えば金属製の缶などにビーコンを入れることによって、非アクティブ化することができる。望まれないビーコンが非アクティブ化されると、図６ｂのインタフェース６０２に示すように、モバイル・アプリケーションは、ポール・ビーコンとして登録されることになるビーコンのみを表示することができる。非限定的な例として、アプリケーションは、検出されたビーコンの数と、ＭＡＣアドレス、ＵＵＩＤ、メジャー値、およびマイナー値など、各ビーコンに関係する情報とを表示することができる。このような表示のフォーマットの非限定的な例は、以下のとおりとすることができる。
検出されたｉＢｅａｃｏｎ：３個
ＭＡＣ：Ｃ９：３８：Ｃ６：４９：２Ａ：３９｜ｍ＝１０２
ＭＡＣ：７８：Ａ５：０４：０７：ＡＤ：８２｜ｍ＝４４１８
ＭＡＣ：Ｄ４：ＡＢ：３５：６２：９Ｄ：Ｆ２｜ｍ＝１０１
しかし、表示は、任意の適切なフォーマットのテキストを表示することができる。非限定的な例として、テキストが表示されてよく、表示されたビーコンをポール・ビーコンとして設定するためのプロンプト６０３が、ユーザに対して提示される。このようなプロンプト６０３は、テキスト・ボックス内に表示されてもよく、または、「ポール・ビーコンとして設定する」などのテキスト・インジケータの付いたタッチ感知式ボタンとして表示されてもよい。
【００４６】
ポール・ビーコンが登録された後、地面ビーコンを設定する方法がユーザに提供されてよい。ユーザは、他のすべてのビーコンを無効化または非アクティブ化することが可能であってよく、図７ａに示すように、少なくとも１つのビーコンを表示するインタフェース７００がインタフェースに提供されてよい。非限定的な例として、アプリケーションは、ビーコンの数と、ＭＡＣアドレス、ＵＵＩＤ、メジャー値、およびマイナー値など、各ビーコンに関係する情報とを表示することができる。このような表示のフォーマットの非限定的な例は、以下のとおりとすることができる。
検出されたｉＢｅａｃｏｎ：１個
ＭＡＣ：７８：Ａ５：０４：０７：ＡＦ：Ｅ９｜ｍ＝１０５
次いで、ユーザは、表示されたビーコンを地面ビーコンとして設定するよう促されてよく、この設定は、例えば、「地面ビーコンとして設定する」などのテキストを含む場合のあるタッチ有効化ボタン７０１を使用して行うことができる。モバイル・アプリケーションは、モバイル・アプリケーションがアクセスされるたびに読み取られることが可能なファイルに、ビーコン設定を保存するように構成されてよい。すべてのビーコンを登録した後、図７ｂに示すように、ビーコンを登録解除するオプションをユーザに提供するインタフェース７０２がユーザに提供されてよい。図７ｂに示すように、ビーコンは、「ビーコンを登録解除する」などのテキストを含む場合のあるタッチ有効化ボタン７０３をユーザがアクティブ化することによって、登録解除することができる。また、モバイル・アプリケーションは、局在化モードで稼働していることがあり、検出したすべてのビーコンを、これらのビーコンについての関連情報７０５と共に示すことができる。非限定的な例として、アプリケーションは、検出されたビーコンの数と、特定ビーコンのＭＡＣアドレス、ＵＵＩＤ、メジャー値、マイナー値、インスタント距離、およびフィルタリング済み距離パラメータなど、各ビーコンに関係する情報とを表示することができる。このような表示のフォーマットの非限定的な例は、以下のとおりとすることができる。
検出されたｉＢｅａｃｏｎ：２個
ＭＡＣ：Ｃ９：３８：Ｃ６：４９：２Ａ：３９｜ｍ＝１０２｜Ｄ＝６．１２｜Ｆ＝７．２８
ＭＡＣ：７８：Ａ５：０４：０７：ＡＤ：８２｜ｍ＝４４１８｜Ｄ＝４．１３｜Ｆ＝４．９２
ＭＡＣ：７８：Ａ５：０４：０７：ＡＦ：Ｅ９｜ｍ＝１０５｜Ｄ＝５．８４｜Ｆ＝４．９２
ＭＡＣ：Ｄ４：ＡＢ：３５：６２：９Ｄ：Ｆ２｜ｍ＝１０１｜Ｄ＝７．２８｜Ｆ＝５．６１
【００４７】
図７ｃに、インタフェース７０２によって表示できる、ビーコンに関する情報の別の実施形態を示す。特定のビーコンのＭＡＣ、マイナー、インスタント距離、およびフィルタリング済み距離パラメータが表示されてよい。表示はまた、ポール・ビーコンまたは地面ビーコンなど、ビーコンのタイプを示すこともできる。例えば、表示インタフェースは、タイトル行「テキスト・エディタ  ｒｅｇｉｓｔｅｒｅｄ＿ｂｅａｃｏｎ．ｔｘｔ」を有するテキスト・ボックスを含むことができ、例えば以下のようなフォーマットを有するデータを含むことができる。
ＭＡＣ：Ｃ９：３８：Ｃ６：４９：２Ａ：３９  １０２  ＰＯＬＥ
ＭＡＣ：７８：Ａ５：０４：０７：ＡＤ：８２  ４４１８  ＰＯＬＥ
ＭＡＣ：Ｄ４：ＡＢ：３５：６２：９Ｄ：Ｆ２  １０１  ＰＯＬＥ
ＭＡＣ：７８：Ａ５：０４：０７：ＡＦ：Ｅ９  １０５  ＧＲＯＵＮＤ
図６ａ〜図７ｂに示す実施形態では、ユーザは、登録プロセスの間にビーコンの短距離および長距離を設定することが可能であってよく、これらは、第１の所定の送信フィールドおよび第２の所定の送信フィールドに対応することができる。非限定的な例として、短距離は０．７メートルに設定されてよく、長距離は３．５メートルに設定されてよい。さらに、ビーコンが、所定の送信距離を１つだけ有するビーコンとして登録される場合は、ユーザは、どちらの値が所定の送信フィールド値として使用されるべきかを選択することが可能であってよい。加えて、これらのフィールドに設定できる値の範囲は、使用される特定のビーコン・タイプに依存する場合がある。
【００４８】
加えて、図６ａ〜図７ｂに示すように、ユーザは、適切なラジオ・ボタンを選択することによって、受動モードと能動モードなど、２つの検出モードの間でいつでも切り替えることが可能であってよい。検出モードに応じて、モバイル・デバイスが所定の検出ゾーン内に位置すると見なされるのに必要な条件にビーコンの距離が合致する場合は、モバイル・デバイスの機能が禁止される。例えば、モバイル・デバイスの画面がブロックされるものとすることができる。
【００４９】
図８ａおよび図８ｂは、モバイル・アプリケーションがモバイル・デバイスの機能を禁止したときに示される表示の例である画面８００および８０２を表示している。モバイル・デバイスが横断歩道上にあることをモバイル・アプリケーションが検出したとき、モバイル・アプリケーションは画面をブロックし、ユーザが行える唯一の許容可能なアクションは、緊急電話をかけることである。画面８００および８０２は、モバイル・デバイス画面がブロックされたときにユーザに対して表示される情報８０１を示す。非限定的な例として、モバイル・デバイスは、以下のようなテキストを表示することができる。
横断歩道モード：
電話機はあなたが横断歩道にいることを検出しました。あなたの安全のために電話機はロックされました。
さらに他の非限定的な例として、モバイル・デバイスはグラフィカル・デザインを表示することができ、これは、横断歩道エリアを示すための、通りで見られる線に類似する線で描かれたエリア上を歩く人の形を囲む円などである。加えて、表示は、テキスト「緊急電話」の付いたタッチ作動式ボタンを含むことができ、ユーザはこのボタンを押して緊急電話をかけることができる。図８ｂに示すように、モバイル・アプリケーションはバックグラウンドでも機能することになり、ユーザが他のアプリケーションをフォアグラウンドで使用している場合でも画面をブロックする。
【００５０】
Ａｎｄｒｏｉｄ４．４．４がインストールされたＬＧ  Ｎｅｘｕｓ５スマートフォン上で、モバイル・アプリケーションの一実施形態がテストされた。読み取り値の正確さは、以下の要因のうちの少なくともいくつかに応じて変化する場合があることがわかっている。すなわち、スマートフォンの配向（歩行者が電話機をどのように持っているか）、電話機がケースを有するか否か、横断歩道が混雑しているか否か（人体がビーコンからの信号を吸収して結果を妨害する可能性がある）、および、電話機のモデル（Ｂｌｕｅｔｏｏｔｈ信号の受信に関して、あらゆる異なる電話機は、異なる性能を有する）である。
【００５１】
様々な実施形態で、本明細書で言及するモバイル・デバイスは、ハンドヘルド・ポータブル・デバイス、コンピュータ、携帯電話機（スマートフォンと呼ばれることもある）、タブレット・パーソナル・コンピュータ（ＰＣ）、ラップトップ・コンピュータ、またはこれらの任意の組合せとして実装される場合がある。スマートフォンの非限定的な例は、例えば、Ｐａｌｍ（登録商標）ＴｒｅｏスマートフォンなどのＰａｌｍ製品（現Ｈｅｗｌｅｔｔ  ＰａｃｋａｒｄまたはＨＰ）、Ｂｌａｃｋｂｅｒｒｙ（登録商標）スマートフォン、Ａｐｐｌｅ  ｉＰｈｏｎｅ、Ｍｏｔｏｒｏｌａ  Ｄｒｏｉｄなどを含む。タブレット・デバイスは、ＡｐｐｌｅによるｉＰａｄタブレット・コンピュータ、および、より一般的には、ネットブックとして知られる軽量ポータブル・コンピュータの一種を含む。いくつかの実施形態では、モバイル・デバイスは、内蔵型電源（例えば電池）を備える任意のタイプのワイヤレス・デバイス、移動局、またはポータブル・コンピューティング・デバイスを含むか、またはこのようなデバイスとして実装される場合があり、これらは、ラップトップ・コンピュータ、ウルトラ・ラップトップ・コンピュータ、通信機能付きパーソナル・ディジタル・アシスタント（ＰＤＡ）、セルラー電話機、セルラー電話機／ＰＤＡの組合せ、モバイル・ユニット、加入者局、ユーザ端末、ポータブル・コンピュータ、ハンドヘルド・コンピュータ、パームトップ・コンピュータ、ウェアラブル・コンピュータ、メディア・プレーヤ、ページャ、メッセージング・デバイス、データ通信デバイスなどである。
【００５２】
したがって、モバイル・デバイスの場所および／または存在を検出するシステムおよび方法は、モバイル・デバイスによって使用されるワイヤレス技術通信標準に基づいて変動する場合がある。例えば、米国で使用される場合のあるワイヤレス技術通信標準の例は、符号分割多元接続（ＣＤＭＡ）システム、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）システム、ＮＡＤＣ（Ｎｏｒｔｈ  Ａｍｅｒｉｃａｎ  Ｄｉｇｉｔａｌ  Ｃｅｌｌｕｌａｒ）システム、時分割多元接続（ＴＤＭＡ）システム、Ｅ−ＴＤＭＡ（Ｅｘｔｅｎｄｅｄ−ＴＤＭＡ）システム、ＮＡＭＰＳ（Ｎａｒｒｏｗｂａｎｄ  Ａｄｖａｎｃｅｄ  Ｍｏｂｉｌｅ  Ｐｈｏｎｅ  Ｓｅｒｖｉｃｅ）システム、ＷＣＤＭＡ（登録商標）（Ｗｉｄｅ−ｂａｎｄ  ＣＤＭＡ）などの３Ｇシステム、４Ｇシステム、ＣＤＭＡ−２０００、ＵＭＴＳ（Ｕｎｉｖｅｒｓａｌ  Ｍｏｂｉｌｅ  Ｔｅｌｅｐｈｏｎｅ  Ｓｙｓｔｅｍ）システム、ｉＤＥＮ（登録商標）（Ｉｎｔｅｇｒａｔｅｄ  Ｄｉｇｉｔａｌ  Ｅｎｈａｎｃｅｄ  Ｎｅｔｗｏｒｋ）（ＴＤＭＡ／ＧＳＭ改良版）などを含むことができる。
【００５３】
様々な実施形態で、モバイル・デバイスは、種々のタイプのワイヤレス・ネットワーク・システムまたはプロトコルに従って、音声および／またはデータ通信機能を提供するように構成されてよい。データ通信サービスを提供する適切なワイヤレス・ネットワーク・システムの例は、電気電子技術者協会（ＩＥＥＥ）８０２．ｘｘシリーズのプロトコルを含むことができ、これらは、ＩＥＥＥ８０２．１ａ／ｂ／ｇ／ｎシリーズの標準プロトコルおよび改良版（「ＷｉＦｉ」とも呼ばれる）、ＩＥＥＥ８０２．１６シリーズの標準プロトコルおよび改良版（「ＷｉＭＡＸ」とも呼ばれる）、ＩＥＥＥ８０２．２０シリーズの標準プロトコルおよび改良版などである。加えて、モバイル・デバイス２０５は、種々のタイプの、より短距離のワイヤレス・システムを利用することもできる。これらは、Ｂｌｕｅｔｏｏｔｈスペシャル・インタレスト・グループ（ＳＩＧ）シリーズのプロトコルに従って動作するＢｌｕｅｔｏｏｔｈシステムなどであり、これらのプロトコルは、ＥＤＲ（Ｅｎｈａｎｃｅｄ  Ｄａｔａ  Ｒａｔｅ）を伴うＢｌｕｅｔｏｏｔｈ仕様書バージョンｖ１．０、ｖ１．１、ｖ１．２、ｖ１．０、ｖ２．０、ならびに１つまたは複数のＢｌｕｅｔｏｏｔｈプロファイルなどを含む。他の例は、赤外線技術または近接場通信技術およびプロトコル（電磁誘導（ＥＭＩ）技術など）を使用するシステムを含むことができる。ＥＭＩ技術の例は、受動型および能動型の無線周波数識別（ＲＦＩＤ）プロトコルおよびデバイスを含むことができる。
【００５４】
モバイル・デバイスはまた、種々のタイプの、より短距離のワイヤレス・システムを利用することもできる。これらは、Ｂｌｕｅｔｏｏｔｈスペシャル・インタレスト・グループ（ＳＩＧ）シリーズのプロトコルに従って動作するＢｌｕｅｔｏｏｔｈシステムなどであり、これらのプロトコルは、ＥＤＲ（Ｅｎｈａｎｃｅｄ  Ｄａｔａ  Ｒａｔｅ）を伴うＢｌｕｅｔｏｏｔｈ仕様書バージョンｖ１．０、ｖ１．１、ｖ１．２、ｖ１．０、ｖ２．０、ならびに１つまたは複数のＢｌｕｅｔｏｏｔｈプロファイルなどを含む。他の例は、赤外線技術または近接場通信技術およびプロトコル（電磁誘導（ＥＭＩ）技術など）を使用するシステムを含むことができる。ＥＭＩ技術の例は、受動型および能動型の無線周波数識別（ＲＦＩＤ）プロトコルおよびデバイスを含むことができる。これらのワイヤレス通信標準は、当業者によって理解される。
【００５５】
様々な実施形態で、ユーザは、個人または歩行者が歩いている場所に対して権限を有する個人またはエンティティを構成することができ、オプトインすることを個人または歩行者に要求しないような仕方で動作することができる。例えば、ユーザは、例えば自治体や法執行機関などの行政機関、建設現場オペレータ、建物所有者、店舗所有者、土地所有者などである場合がある。実施形態では、本開示のシステムおよび方法は、地理的フェンスとして使用されるのを可能にするコンポーネントおよび要素を含むことができる。実施形態では、建設現場で歩行者および／または作業員が例えば建物の端に近付きすぎないようにするためのアプリケーションを可能にするシステムおよび方法が、本明細書で開示される。追加の実施形態では、列車／地下鉄駅で乗客が歩いてプラットホームの端から出ないようにするために使用できるアプリケーションを可能にするシステムおよび方法が、本明細書で開示される。
【００５６】
本明細書で開示した実施形態に関して述べた様々な例証的な機能要素、論理ブロック、モジュール、回路、およびプロセッサは、本明細書に記載の機能を実施するように適宜設計された、適切なプロセッサ・デバイス、ディジタル信号プロセッサ（ＤＳＰ）、特定用途向け集積回路（ＡＳＩＣ）、フィールド・プログラマブル・ゲート・アレイ（ＦＰＧＡ）もしくは他のプログラマブル・ロジック・デバイス、ディスクリート・ゲートもしくはトランジスタ・ロジック、ディスクリート・ハードウェア・コンポーネント、またはこれらの任意の組合せを用いて、実装または実施される場合がある。本明細書に記載のように、汎用プロセッサはマイクロプロセッサであってよいが、代替例では、プロセッサは、適切な機能を実施するように設計された、任意の従来型プロセッサ、コントローラ、マイクロコントローラ、またはステート・マシンであってよい。プロセッサは、コンピュータ・システムの一部であってよく、このコンピュータ・システムはまた、ユーザ・インタフェースと通信しユーザによって入力されたコマンドを受け取るユーザ・インタフェース・ポートと、プロセッサの制御下でユーザ・インタフェース・ポートを介した通信を用いて動作するプログラムを含めた電子情報を記憶する少なくとも１つのメモリ（例えば、ハード・ドライブまたは他の互換ストレージ、およびランダム・アクセス・メモリ）と、任意の種類のビデオ出力フォーマットを介して出力を生成するビデオ出力と、を有する。
【００５７】
本明細書で開示した実施形態に関して述べた様々な機能要素、論理ブロック、モジュール、および回路要素の機能は、専用ハードウェアを使用して、ならびに適切なソフトウェアとの関連でソフトウェアを実行できるハードウェアを使用して、実施される場合がある。プロセッサによって提供されるとき、これらの機能は、単一の専用プロセッサ、単一の共有プロセッサ、または複数の個別プロセッサ（いくつかは共有される場合がある）によって提供することができる。さらに、用語「プロセッサ」または「モジュール」が明示的に使用される場合、これは、ソフトウェアを実行できるハードウェアのみを指すものと解釈されるべきではなく、ＤＳＰハードウェア、ソフトウェアを記憶するための読取専用メモリ（ＲＯＭ）、ランダム・アクセス・メモリ（ＲＡＭ）、および不揮発性ストレージを、これらに限定されるものはなないが、暗黙的に含むことができる。従来型および／またはカスタムの、他のハードウェアもまた含まれてよい。同様に、図示のどんなスイッチも、概念的なものに過ぎない。それらの機能は、プログラム・ロジックの動作を通して、専用ロジックを通して、プログラム制御と専用ロジックとのインタラクションを通して、さらには手動で実施される場合があり、特定の技術は、コンテキストからより具体的に理解されるように、実施者によって選択可能である。
【００５８】
本明細書で開示した実施形態に関して述べた様々な機能要素、論理ブロック、モジュール、および回路要素は、本明細書に記載のシステムおよび方法についてのコンピューティングおよび処理動作を提供するためのソフトウェア・プログラム命令を実行するための処理ユニットを含むことができる。処理ユニットは、適切なシステムのモバイル・デバイスと他のコンポーネントとの間で様々な音声およびデータ通信動作を実施することを担うことができる。処理ユニットは単一のプロセッサ・アーキテクチャを含むことができるが、記述された実施形態により、任意の適切なプロセッサ・アーキテクチャおよび／または任意の数のプロセッサを含んでよいことは認識されるであろう。一実施形態では、処理ユニットは、単一の統合プロセッサを使用して実装される場合がある。
【００５９】
本明細書で開示した実施形態に関して述べた様々な機能要素、論理ブロック、モジュール、および回路要素の機能はまた、処理ユニットによって実行されるソフトウェア、制御モジュール、ロジック、および／またはロジック・モジュールなど、コンピュータ実行可能命令の一般的なコンテキストで実装される場合もある。一般に、ソフトウェア、制御モジュール、ロジック、および／またはロジック・モジュールは、特定の動作を実施するように構成された任意のソフトウェア要素を含む。ソフトウェア、制御モジュール、ロジック、および／またはロジック・モジュールは、特定のタスクを実施するかまたは特定の抽象データ型を実装するルーチン、プログラム、オブジェクト、コンポーネント、データ構造などを含むことができる。ソフトウェア、制御モジュール、ロジック、および／またはロジック・モジュールおよび技術の実装形態は、何らかの形のコンピュータ可読媒体に記憶されること、および／または何らかの形のコンピュータ可読媒体を介して伝送されることが可能である。これに関して、コンピュータ可読媒体は、情報を記憶するのに使用可能でありコンピューティング・デバイスによってアクセス可能な、任意の利用可能な媒体であってよい。いくつかの実施形態は分散コンピューティング環境で実践されてもよく、この場合、通信ネットワークを介してリンクされた１つまたは複数のリモート処理デバイスによって動作が実施される。分散コンピューティング環境では、ソフトウェア、制御モジュール、ロジック、および／またはロジック・モジュールは、メモリ記憶デバイスを含めたローカルとリモートの両方のコンピュータ記憶媒体内に配置される場合がある。
【００６０】
加えて、本明細書に記載の実施形態は、例示的な実装形態を示すものであり、機能要素、論理ブロック、モジュール、および回路要素は、記述された実施形態に一致する他の様々な方法で実装されてもよいことを認識されたい。さらに、このような機能要素、論理ブロック、モジュール、および回路要素によって実施される動作は、所与の実装形態で結合および／または分離されてもよく、より多数または少数のコンポーネントまたはモジュールによって実施されてもよい。本開示を読めば当業者には明らかであろうが、本明細書で記述および例証される個別の実施形態のそれぞれは、離散的なコンポーネントおよび特徴を有し、これらのコンポーネントおよび特徴は、本開示の範囲を逸脱することなく、容易に他のいくつかの態様のうちのいずれかの特徴から分離されるかまたはこれらの特徴と結合されてもよい。列挙されたどんな方法も、列挙されたイベントの順序で実施されてもよく、または、論理的に可能ないずれか他の順序で実施されてもよい。
【００６１】
「一実施形態」または「ある実施形態」への言及はいずれも、その実施形態に関して記述される特定の特徴、構造、または特性が少なくとも１つの実施形態に含まれることを意味することは、留意するに値する。「一実施形態で」または「一態様で」という言葉が明細書に現れる場合、必ずしもこれらのすべてが同じ実施形態を指すとは限らない。
【００６２】
別段の記載が特にない限り、「処理する」、「計算する」、「算出する」、「判定する」などの用語は、レジスタ内および／またはメモリ内の物理的な量（例えば電子的な）として表されるデータを操作および／または変換して、メモリ内、レジスタ内、または他のそのような情報記憶、送信、もしくは表示デバイス内の物理的な量として同様に表される他のデータにする、コンピュータもしくはコンピューティング・システム、または類似の電子コンピューティング・デバイス（本明細書に記載の機能を実施するように設計された、汎用プロセッサ、ＤＳＰ、ＡＳＩＣ、ＦＰＧＡもしくは他のプログラマブル・ロジック・デバイス、ディスクリート・ゲートもしくはトランジスタ・ロジック、ディスクリート・ハードウェア・コンポーネント、またはこれらの任意の組合せ）のアクションおよび／またはプロセスを指すことは認識されるであろう。
【００６３】
いくつかの実施形態が、表現「結合される」および「接続される」、ならびにそれらの派生形を使用して記述される場合があることは、留意するに値する。これらの用語は、相互に対する同義語として意図されるものではない。例えば、２つまたはそれ以上の要素が相互と直接に物理的または電子的に接していることを示すために、いくつかの実施形態が、用語「接続される」および／または「結合される」を使用して記述されることがある。しかし、用語「結合される」はまた、２つまたはそれ以上の要素が相互と直接には接していないがそれでもなお相互と協働または影響することを意味する場合もある。ソフトウェア要素に関しては、例えば、用語「結合される」は、インタフェース、メッセージ・インタフェース、アプリケーション・プログラム・インタフェース（ＡＰＩ）、メッセージ交換などを指すことがある。
【００６４】
本明細書で明示的に記述または図示されてはいないが、本発明の原理を組み入れており本発明の範囲に含まれる様々な構成を、当業者なら考案できるはずであることは認識されるであろう。さらに、本明細書で列挙されるすべての例および条件に関する用語は、本開示に記載の原理と、本技術分野の発展に寄与する概念とを、読者が理解するのを助けることを主に意図したものであり、このような具体的に列挙される例および条件に限定されないものと解釈されるべきである。さらに、原理、態様、および実施形態、ならびにその具体例を列挙する、本明細書におけるすべての陳述は、その構造上と機能上との両方の均等物を包含するものとする。加えて、このような均等物は、現在知られている均等物と将来開発される均等物との両方、すなわち、構造にかかわらず同じ機能を実施する任意の開発される要素を含むものとする。したがって、本開示の範囲は、本明細書で図示および記述される例示的な態様に限定されるものではない。そうではなく、本開示の範囲は、添付の特許請求の範囲によって具体化される。
【００６５】
本開示のコンテキストで（特に添付の特許請求の範囲のコンテキストで）使用される用語「ａ」、および「ａｎ」および「ｔｈｅ」および類似の指示対象は、本明細書に別段の指示がない限り、またはコンテキストによって明確に矛盾しない限り、単数形と複数形の両方をカバーすると解釈されるべきである。本明細書における値の範囲の列挙は、範囲内に入る別々の各値に個別に言及する簡略方法としての働きをすることを意図したものに過ぎない。本明細書に別段の指示がない限り、個々の各値は、本明細書で個別に列挙されるかのように、本明細書に組み込まれる。本明細書に記載のすべての方法は、本明細書に別段の指示がない限り、またはコンテキストによって明確に矛盾しない限り、任意の適切な順序で実施されてよい。本明細書で提供されるあらゆる例または例示する用語（例えば、「など」、「場合」、「例として」）は、本開示をより分かりやすくすることを意図したものに過ぎず、他の方法で主張される本開示の範囲に対して限定を課すものではない。明細書中のどんな用語も、特許請求の範囲に記載されていないが本開示の実践に必須のいずれかの要素を示すと解釈されるべきではない。さらに、特許請求の範囲は、どんな任意選択の要素も除外するように記載される場合があることにも留意されたい。したがって、この陳述は、請求項要素の列挙に関する「だけ」や「のみ」などの排他的な用語の使用、または否定的限定の使用に対する、前提としての役割を有する。
【００６６】
本明細書で開示した代替的な要素または実施形態のグループ化は、限定と解釈されるべきではない。各グループ・メンバは、個別に参照および特許請求の範囲に記載されることが可能であり、または、グループの他のメンバもしくは本明細書に見られる他の要素との任意の組合せで参照および特許請求の範囲に記載されることが可能である。グループの１つまたは複数のメンバが、便宜上および／または特許性の理由で、グループに含められる場合またはグループから削除される場合があることが予期される。
【００６７】
実施形態のいくつかの特徴について前述のように例証してきたが、当業者は今や、多くの修正、代用、変更、および均等物を思いつくであろう。したがって、添付の特許請求の範囲は、開示された実施形態の範囲内に入るすべての修正および変更をカバーするものとすることを理解されたい。本明細書で述べた主題の様々な態様を、後続の番号付き条項において述べる。
（条項１）
所定の検出ゾーン内でモバイル・デバイスの機能を禁止する方法であって、
所定の送信フィールド内に位置するモバイル・デバイスによって第１の通信信号を受信すること、
前記第１の通信信号が複数のビーコンのうちの第１のビーコンによって送信されたと判定すること、および、
前記第１の通信信号が前記第１のビーコンによって送信されたと判定したとき前記モバイル・デバイスの少なくとも１つの機能を禁止すること、
を含む方法。
（条項２）
前記所定の送信フィールドが第１の所定の送信フィールドであり、
第２の所定の送信フィールド内に位置するモバイル・デバイスによって第２の通信信号を受信すること、
前記第２の通信信号が、前記所定の検出ゾーン内に位置する前記複数のビーコンのうちの第２のビーコンによって送信されたと判定すること、および、
前記第２の通信信号が前記第２のビーコンによって送信されたと判定したとき前記モバイル・デバイスの前記少なくとも１つの機能を禁止すること、
をさらに含む、条項１に記載の方法。
（条項３）
第３の所定の送信フィールド内に位置するモバイル・デバイスによって第３の通信信号を受信すること、
前記第３の通信信号が、前記所定の検出ゾーン内に位置する前記複数のビーコンのうちの第３のビーコンによって送信されたと判定すること、および、
前記第３の通信信号が前記第３のビーコンによって送信されたと判定したとき前記モバイル・デバイスの少なくとも１つの機能を禁止すること、
をさらに含む、条項２に記載の方法。
（条項４）
第４の所定の送信フィールド内に位置するモバイル・デバイスによって第４の通信信号を受信すること、
前記第４の通信信号が前記第１のビーコンによって送信されたと判定すること、
第５の所定の送信フィールド内に位置するモバイル・デバイスによって第５の通信信号を受信すること、
前記第１の通信信号が前記第２のビーコンによって送信されたと判定すること、
第６の所定の送信フィールド内に位置するモバイル・デバイスによって第６の通信信号を受信すること、
前記第６の通信信号が前記第３のビーコンによって送信されたと判定すること、
前記第４の所定の送信フィールドと前記第５の所定の送信フィールドと前記第６の所定の送信フィールドとの交差によって画定される場所に前記モバイル・デバイスがあると判定すること、および、
前記第４の所定の送信フィールドと前記第５の所定の送信フィールドと前記第６の所定の送信フィールドとの前記交差によって画定される前記場所に前記モバイル・デバイスがあると判定したとき、前記モバイル・デバイスの前記少なくとも１つの機能を禁止すること、
をさらに含む、条項３に記載の方法。
（条項５）
前記モバイル・デバイスの前記少なくとも１つの機能が、テキスト・メッセージング・サービス機能または表示画面機能である、条項１から４の何れか一項に記載の方法。
（条項６）
前記第１の所定の送信フィールドが前記第２の所定の送信フィールドと重なる、条項２に記載の方法。
（条項７）
前記第２の所定の送信フィールドが前記第３の所定の送信フィールドと重なる、条項３に記載の方法。
（条項８）
第３の所定の送信フィールド内に位置するモバイル・デバイスによって第３の通信信号を受信すること、
前記第３の通信信号が第３のビーコンによって送信されたと判定すること、
前記所定の検出ゾーン内に位置する前記モバイル・デバイスによって第４の通信信号を受信すること、
前記第４の通信信号が第４のビーコンによって送信されたと判定すること、
前記所定の検出ゾーン内に位置する前記モバイル・デバイスによって第５の通信信号を受信すること、
前記第５の通信信号が第５のビーコンによって送信されたと判定すること、
前記第３の通信信号、前記第４の通信信号、および前記第５の通信信号が前記モバイル・デバイスによって同時に受信されたと判定すること、ならびに、
前記第３の通信信号、前記第４の通信信号、および前記第５の通信信号が前記モバイル・デバイスによって所定の時間期間内に受信されたと判定したとき、前記モバイル・デバイスの前記少なくとも１つの機能を禁止すること、
をさらに含む、条項２に記載の方法。
（条項９）
前記所定の検出ゾーン内に位置する前記モバイル・デバイスが前記第１の通信信号を受信することが、前記所定の検出ゾーン内に位置する前記モバイル・デバイスが前記第１の通信信号を連続的に受信することを含み、前記方法がさらに、前記モバイル・デバイスが前記第１の通信信号をもはや受信しなくなってから所定の時間期間後に前記モバイル・デバイスの前記少なくとも１つの機能を許可することを含む、条項１から８の何れか一項に記載の方法。
（条項１０）
前記第１の所定の送信フィールドが、前記第１のビーコンのパラメータに従って調整可能である、条項１から９の何れか一項に記載の方法。
（条項１１）
所定の検出ゾーン内でモバイル・デバイスの機能を禁止するためのシステムであって、
第１のビーコンと第２のビーコンとを含む複数のビーコンを備え、
前記第１のビーコンが、前記第１のビーコンの第１の所定の送信フィールド内に位置するモバイル・デバイスに、前記第１の所定の送信フィールド内で第１の通信信号を送信し、前記第１のビーコンによって送信された前記第１の通信信号に基づいて前記モバイル・デバイスに前記モバイル・デバイスの少なくとも１つの機能を禁止させるように構成され、
前記第２のビーコンが、前記第２のビーコンの第２の所定の送信フィールド内に位置する前記モバイル・デバイスに、前記第２の所定の送信フィールド内で第２の通信信号を送信し、前記第２のビーコンによって送信された前記第２の通信信号に基づいて前記モバイル・デバイスに前記モバイル・デバイスの少なくとも１つの機能を禁止させるように構成された、システム。
（条項１２）
前記複数のビーコンのそれぞれが歩道に永久的に取り付けられた、条項１１に記載のシステム。
（条項１３）
前記第１の所定の送信フィールドが前記第１のビーコンの第１のパラメータに従って調整可能であり、前記第２の所定の送信フィールドが前記第２のビーコンの第２のパラメータに従って調整可能である、条項１１または１２に記載のシステム。
（条項１４）
前記複数のビーコンが第３のビーコンを含み、
前記第３のビーコンが、前記第３のビーコンの第３の所定の送信フィールド内に位置するモバイル・デバイスに、前記第３の所定の送信フィールド内で第３の通信信号を送信するように構成され、前記第３のビーコンによって送信された前記第３の通信信号に基づいて前記モバイル・デバイスに前記モバイル・デバイスの少なくとも１つの機能を禁止させるように構成された、条項１１から１３の何れか一項に記載のシステム。
（条項１５）
前記第１のビーコンが第４の所定の送信フィールド内で第４の通信信号を送信するように構成され、
前記第２のビーコンが第５の所定の送信フィールド内で第５の通信信号を送信するように構成され、
前記第３のビーコンが第６の所定の送信フィールド内で第６の通信信号を送信するように構成され、
前記第１のビーコン、前記第２のビーコン、および前記第３のビーコンが、前記第４の所定の送信フィールドと前記第５の所定の送信フィールドと前記第６の所定の送信フィールドとの交差によって画定される場所に前記モバイル・デバイスがあるとの判定に基づいて、前記モバイル・デバイスに前記モバイル・デバイスの少なくとも１つの機能を禁止させるように構成された、条項１４に記載のシステム。
（条項１６）
所定の検出ゾーン内でモバイル・デバイスの機能を禁止するための通信装置であって、
モバイル・デバイスと、
前記モバイル・デバイスに関連する制御モジュールとを備え、
前記制御モジュールが、複数のビーコンのうちの第１のビーコンの第１の所定の送信フィールド内に位置するモバイル・デバイスから前記第１のビーコンによって送信された第１の通信信号を受信するように構成され、
前記制御モジュールが、前記第１のビーコンによって送信された前記第１の通信信号に基づいて前記モバイル・デバイスの少なくとも１つの機能を禁止するように構成された、通信装置。
（条項１７）
前記制御モジュールが、前記モバイル・デバイスのテキスト・メッセージング・サービス機能または表示画面機能を禁止するように構成された、条項１６に記載の装置。
（条項１８）
前記制御モジュールが、前記複数のビーコンのうちの第２のビーコンの第２の所定の送信フィールド内に位置するモバイル・デバイスに向けて前記第２のビーコンによって送信された第２の通信信号を受信するように構成され、
前記制御モジュールが、前記第２のビーコンによって送信された前記第２の通信信号に基づいて前記モバイル・デバイスの少なくとも１つの機能を禁止するように構成され、
前記制御モジュールが、第３のビーコンの第３の所定の送信ゾーン内に位置するモバイル・デバイスから前記第３のビーコンによって送信された第３の通信信号を受信するように構成され、
前記制御モジュールが、前記第３のビーコンによって送信された前記第３の通信信号に基づいて前記モバイル・デバイスの少なくとも１つの機能を禁止するように構成された、
条項１７に記載の装置。
（条項１９）
前記制御モジュールが、前記第１のビーコンの第４の所定の送信ゾーン内に位置するモバイル・デバイスに向けて前記第１のビーコンによって送信された第４の通信信号を受信するように構成され、
前記制御モジュールが、前記第２のビーコンの第５の所定の送信ゾーン内に位置するモバイル・デバイスに向けて前記第２のビーコンによって送信された第５の通信信号を受信するように構成され、
前記制御モジュールが、前記第３のビーコンの第６の所定の送信ゾーン内に位置するモバイル・デバイスに向けて前記第３のビーコンによって送信された第６の通信信号を受信するように構成され、
前記制御モジュールが、前記第４の所定の送信フィールドと前記第５の所定の送信フィールドと前記第６の所定の送信フィールドとの交差によって画定される場所に前記モバイル・デバイスがあるとの判定に基づいて、前記モバイル・デバイスの前記少なくとも１つの機能を禁止するように構成された、条項１８に記載の装置。
（条項２０）
所定の検出ゾーン内でモバイル・デバイスの機能を禁止する方法であって、
第１の所定の送信フィールド内に位置するモバイル・デバイスによって第１の通信信号を受信すること、
第２の所定の送信フィールド内に位置するモバイル・デバイスによって第２の通信信号を受信すること、
第３の所定の送信フィールド内に位置するモバイル・デバイスによって第３の通信信号を受信すること、および、
前記第１の所定の送信フィールドと前記第２の所定の送信フィールドと前記第３の所定の送信フィールドとの交差によって画定される場所に前記モバイル・デバイスがあるとの判定に基づいて、前記モバイル・デバイスの前記少なくとも１つの機能を禁止すること、
を含む方法。
（条項２１）
前記モバイル・デバイスの前記少なくとも１つの機能が、テキスト・メッセージング・サービス機能または表示画面機能である、条項２０に記載の方法。
（条項２２）
前記第１の通信信号が複数のビーコンのうちの第１のビーコンによって送信されたと判定すること、
前記第２の通信信号が前記複数のビーコンのうちの第２のビーコンによって送信されたと判定すること、および、
前記第３の通信信号が前記複数のビーコンのうちの第３のビーコンによって送信されたと判定すること、
をさらに含む、条項２１に記載の方法。
【図１】
2018518856.tif 000003
【図２】
2018518856.tif 000004
【図３】
2018518856.tif 000005
【図４】
2018518856.tif 000006
【図５ａ】
2018518856.tif 000007
【図５ｂ】
2018518856.tif 000008
【図６ａ】
2018518856.tif 000009
【図６ｂ】
2018518856.tif 000010
【図７ａ】
2018518856.tif 000011
【図７ｂ】
2018518856.tif 000012
【図７ｃ】
2018518856.tif 000013
【図８ａ】
2018518856.tif 000014
【図８ｂ】
2018518856.tif 000015
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
所定の検出ゾーン内でモバイル・デバイスの機能を禁止する方法であって、
所定の送信フィールド内に位置するモバイル・デバイスによって第１の通信信号を受信すること、
前記第１の通信信号が複数のビーコンのうちの第１のビーコンによって送信されたと判定すること、および、
前記第１の通信信号が前記第１のビーコンによって送信されたと判定したとき前記モバイル・デバイスの少なくとも１つの機能を禁止すること、
を含む方法。
【請求項２】
前記所定の送信フィールドが第１の所定の送信フィールドであり、
第２の所定の送信フィールド内に位置するモバイル・デバイスによって第２の通信信号を受信すること、
前記第２の通信信号が、前記所定の検出ゾーン内に位置する前記複数のビーコンのうちの第２のビーコンによって送信されたと判定すること、および、
前記第２の通信信号が前記第２のビーコンによって送信されたと判定したとき前記モバイル・デバイスの前記少なくとも１つの機能を禁止すること、
をさらに含む、請求項１に記載の方法。
【請求項３】
第３の所定の送信フィールド内に位置するモバイル・デバイスによって第３の通信信号を受信すること、
前記第３の通信信号が、前記所定の検出ゾーン内に位置する前記複数のビーコンのうちの第３のビーコンによって送信されたと判定すること、および、
前記第３の通信信号が前記第３のビーコンによって送信されたと判定したとき前記モバイル・デバイスの少なくとも１つの機能を禁止すること、
をさらに含む、請求項２に記載の方法。
【請求項４】
第４の所定の送信フィールド内に位置するモバイル・デバイスによって第４の通信信号を受信すること、
前記第４の通信信号が前記第１のビーコンによって送信されたと判定すること、
第５の所定の送信フィールド内に位置するモバイル・デバイスによって第５の通信信号を受信すること、
前記第１の通信信号が前記第２のビーコンによって送信されたと判定すること、
第６の所定の送信フィールド内に位置するモバイル・デバイスによって第６の通信信号を受信すること、
前記第６の通信信号が前記第３のビーコンによって送信されたと判定すること、
前記第４の所定の送信フィールドと前記第５の所定の送信フィールドと前記第６の所定の送信フィールドとの交差によって画定される場所に前記モバイル・デバイスがあると判定すること、および、
前記第４の所定の送信フィールドと前記第５の所定の送信フィールドと前記第６の所定の送信フィールドとの前記交差によって画定される前記場所に前記モバイル・デバイスがあると判定したとき、前記モバイル・デバイスの前記少なくとも１つの機能を禁止すること、
をさらに含む、請求項３に記載の方法。
【請求項５】
前記モバイル・デバイスの前記少なくとも１つの機能が、テキスト・メッセージング・サービス機能または表示画面機能である、請求項１に記載の方法。
【請求項６】
前記第１の所定の送信フィールドが前記第２の所定の送信フィールドと重なる、請求項２に記載の方法。
【請求項７】
前記第２の所定の送信フィールドが前記第３の所定の送信フィールドと重なる、請求項３に記載の方法。
【請求項８】
第３の所定の送信フィールド内に位置するモバイル・デバイスによって第３の通信信号を受信すること、
前記第３の通信信号が第３のビーコンによって送信されたと判定すること、
前記所定の検出ゾーン内に位置する前記モバイル・デバイスによって第４の通信信号を受信すること、
前記第４の通信信号が第４のビーコンによって送信されたと判定すること、
前記所定の検出ゾーン内に位置する前記モバイル・デバイスによって第５の通信信号を受信すること、
前記第５の通信信号が第５のビーコンによって送信されたと判定すること、
前記第３の通信信号、前記第４の通信信号、および前記第５の通信信号が前記モバイル・デバイスによって同時に受信されたと判定すること、ならびに、
前記第３の通信信号、前記第４の通信信号、および前記第５の通信信号が前記モバイル・デバイスによって所定の時間期間内に受信されたと判定したとき、前記モバイル・デバイスの前記少なくとも１つの機能を禁止すること、
をさらに含む、請求項２に記載の方法。
【請求項９】
前記所定の検出ゾーン内に位置する前記モバイル・デバイスが前記第１の通信信号を受信することが、前記所定の検出ゾーン内に位置する前記モバイル・デバイスが前記第１の通信信号を連続的に受信することを含み、前記方法がさらに、前記モバイル・デバイスが前記第１の通信信号をもはや受信しなくなってから所定の時間期間後に前記モバイル・デバイスの前記少なくとも１つの機能を許可することを含む、請求項１に記載の方法。
【請求項１０】
前記第１の所定の送信フィールドが、前記第１のビーコンのパラメータに従って調整可能である、請求項１に記載の方法。
【請求項１１】
所定の検出ゾーン内でモバイル・デバイスの機能を禁止する方法であって、
第１の所定の送信フィールド内に位置するモバイル・デバイスによって第１の通信信号を受信すること、
第２の所定の送信フィールド内に位置するモバイル・デバイスによって第２の通信信号を受信すること、
第３の所定の送信フィールド内に位置するモバイル・デバイスによって第３の通信信号を受信すること、および、
前記第１の所定の送信フィールドと前記第２の所定の送信フィールドと前記第３の所定の送信フィールドとの交差によって画定される場所に前記モバイル・デバイスがあるとの判定に基づいて、前記モバイル・デバイスの前記少なくとも１つの機能を禁止すること、
を含む方法。
【請求項１２】
前記モバイル・デバイスの前記少なくとも１つの機能が、テキスト・メッセージング・サービス機能または表示画面機能である、請求項１１に記載の方法。
【請求項１３】
前記第１の通信信号が複数のビーコンのうちの第１のビーコンによって送信されたと判定すること、
前記第２の通信信号が前記複数のビーコンのうちの第２のビーコンによって送信されたと判定すること、および、
前記第３の通信信号が前記複数のビーコンのうちの第３のビーコンによって送信されたと判定すること、
をさらに含む、請求項１２に記載の方法。
【手続補正２】
【補正対象書類名】明細書
【補正対象項目名】０００１
【補正方法】変更
【補正の内容】
【０００１】
（優先権の記載）
本出願は、２０１６年３月３１日に出願された「ＡＰＰＡＲＡＴＵＳ，ＳＹＳＴＥＭ，ＡＮＤ  ＭＥＴＨＯＤ  ＦＯＲ  ＩＮＨＩＢＩＴＩＮＧ  ＯＰＥＲＡＴＩＯＮ  ＯＦ  ＭＯＢＩＬＥ  ＤＥＶＩＣＥＳ  ＷＩＴＨＩＮ  Ａ  ＺＯＮＥ」という名称の国際特許出願第ＰＣＴ／ＵＳ２０１６／０２５２４６号を国内段階へ移行した出願であり、２０１５年４月２日に出願された「ＡＰＰＡＲＡＴＵＳ，ＳＹＳＴＥＭ，ＡＮＤ  ＭＥＴＨＯＤ  ＦＯＲ  ＩＮＨＩＢＩＴＩＮＧ  ＯＰＥＲＡＴＩＯＮ  ＯＦ  ＭＯＢＩＬＥ  ＤＥＶＩＣＥＳ  ＷＩＴＨＩＮ  Ａ  ＺＯＮＥ」という名称の米国仮特許出願第６２／１４２，１５８号の利益を主張するものであり、この米国仮特許出願の開示は、その全体があらゆる目的において参照により本明細書に組み込まれる。
【国際調査報告】
2018518856.tif 000016
2018518856.tif 000017